(57)【要約】  地震起動型棚セキュリティシステムは、棚またはパレットラックの用側に取り付けられた2つのガイドレールを持つ。少なくとも1つ固定装置は、固定装置の各端部に配置された回転ループによって、ガイドレールに合わせて動くように移動可能に制限されている。ガイドレールは固定装置停止部を持ち、地震のような振動時に起動しない限り、固定装置が、準備された設定において下降することなく静止することを可能にする。移動可能な安全装置は、固定装置停止部の後部に設置されている。停止部の位置は、地震に対するシステムの感度を調整することで調節可能である。ガイドレールは、固定装置が動くことを防ぐために、固定装置停止部を選択された位置に配置する。1つの実施形態では2つの固定装置が使用され、別の実施形態においては、それを使用しなければ落下する品物を保持するために網が使用される。
2014528733.tif 000002
【特許請求の範囲】
【請求項１】
地震起動型棚セキュリティシステムは、
上端に第1固定装置停止部を持つ第1ガイドレール、
上端に第2固定装置停止部を持つ第2ガイドレール、
水平軸からの選択された角度を形成する前記第1および第2固定装置停止部、前記固定装置停止部の前方部分は後方部分より低い、
前記第1ガイドレールの下部部に沿って配置された第1固定装置停止部、
前記第2ガイドレールの下部部に沿って配置された第2固定装置停止部、
第1および第2端部を持つ固定装置、
前記第1および第2端部の上に配置されたループ端部、
前記ループ端部は前記第1および第2ガイドレールの上に移動可能に配置され、前記固定装置は前記第1および第2ガイドレールに合わせて動く、
前記第1および第2ガイドレールを棚に取り付けるための取付け装置、 および、通常は前記棚に垂直な部分を持つ前記第1および第2ガイドレール、を含む。
【請求項２】
前記ループ端部が前記固定装置内に回転可能に固定されている、請求項1に記載の地震起動型棚セキュリティシステム。
【請求項３】
前記第1および第2ガイドレールを棚に取り付けるための前記取付け装置が、取り付けるためにボルトを使用することを含む、請求項1に記載の地震起動型棚セキュリティシステム。
【請求項４】
前記第1および第2固定装置停止部の上に配置された、第3および第4の固定装置停止部をさらに含み、前記第3および第4固定装置停止部が前記第1および第2固定装置停止部より直径が小さく、前記ループ端部が前記第3および第4固定装置停止部に適合するよう調節された、請求項1に記載の地震起動型棚セキュリティシステム。
【請求項５】
前記選択された角度が2〜5度の間である請求項1に記載の地震起動型棚セキュリティシステム。
【請求項６】
前記固定装置停止部の後方部分に沿って配置された第1安全装置、
前記第2固定装置停止部の後方部分に沿って配置された第2安定装置、
前記固定装置が前記固定装置停止部に配置されたときに前記固定装置に取り付けられた前記第1および第2安全装置、
をさらに含む請求項1に記載の地震起動型棚セキュリティシステム。
【請求項７】
前記第1および第2固定装置停止部および第1および第2安全装置が前記ガイドレールに沿って擦られるように移動するよう取り付けられた、請求項1に記載の地震起動型棚セキュリティシステム。
【請求項８】
前記固定装置が、前記固定装置の中心を通過する縦軸に、開口部内に前記ループ端部を移動可能に保持するよう取り付けられ、前記ループ端部が前記縦軸同様に自由に回転する、請求項1に記載の地震起動型棚セキュリティシステム。
【請求項９】
地震起動型棚セキュリティシステムは、
棚、
上端に第1固定装置停止部を持つ第1ガイドレール、
上端に第2固定装置停止部を持つ第2ガイドレール、
前記棚に取り付けられ通常前記棚に対して垂直な部分を持つ前記第1および第2ガイドレール、
水平軸からの選択された角度を形成する前記第1および第2固定装置停止部、前記固定装置停止部の前方部分は後方部分より低い、
第1上部固定装置停止部、
前記第1ガイドレールの下部部に沿って配置された第1下部固定装置停止部、
前記第1下部固定装置停止部に沿って配置された前記第1上部固定装置停止部、
前記第1下部固定装置停止部より小さな直径を持つ前記第1情報固定装置停止部、
第2上部固定装置停止部、
前記第2ガイドレールの下部部に沿って配置された第2下部固定装置停止部、
前記下部固定装置停止部の上に配置された前記第2上部固定装置停止部、
前記第2下部固定装置停止部より小さな直径を持つ前記第2上部固定装置停止部、
第1および第2端部を持つ上部固定装置、
前記第1および第2端部に配置された上部ループ端部、
前記第1および第2ガイドレールに移動可能に配置された前記上部ループ端部、前記上部固定装置は第1および第2ガイドレールに合わせて移動する、
第3および第4端部を持つ下部固定装置、
前記第3および第4端部に配置された下部ループ端部、
前記上部固定装置の下に配置された前記下部固定装置、
第1および第2ガイドレールに移動可能に配置された前記下部ループ端部、前記下部固定装置は前記第1および第2ガイドレールに合わせて移動する、
前記下部ループ端部より小さな直径を持つ前記ループ端部、前記上部固定装置停止部に適合するように取り付けられ前記下部固定装置停止部の上で停止するように取り付けられた前記下部ループ端部、 前記上部固定装置停止部で停止するように取り付けられた前記上部ループ端部、を含み、前記固定装置は振動が発生している間前記棚から品物がおちるのを抑え保護する。
【請求項１０】
前記上部および下部固定装置の間に配置された網ネットをさらに含み、振動が発生している間、前記棚から品物が落下することをさらに抑制するよう前記網ネットが取り付けられた、請求項9に記載の地震起動型棚セキュリティシステム。
【請求項１１】
各前記固定装置停止部に配置された安全装置をさらに含み、前記上部および下部固定装置が非起動設定時に前記安全装置に静止している請求項9に記載の地震起動型棚セキュリティシステム。
【請求項１２】
前記固定装置停止部が調節可能である請求項9に記載の地震起動型棚セキュリティシステム。
【請求項１３】
前記ループ端部が前記固定装置内に回転可能に固定されている請求項9に記載の地震起動型棚セキュリティシステム。
【請求項１４】
前記上部および下部固定装置が、前記上部および下部固定装置の中心を通った縦軸に沿って決められた開口部内で、前記上部および下部ループ端部を移動可能に保持するよう取り付けられ、前記上部および下部ループ端部が前記縦軸に沿って移動するだけでなく回転することが可能な、請求項9に記載の地震起動型棚セキュリティシステム。
【発明の詳細な説明】
【技術分野】
【０００１】
［関連出願の相互参照］
本出願書は優先権を主張し、2011年4月12日に出願された仮出願番号61/474、715、2011年5月6日に出願された61/483、577、2011年5月27日に出願された61/491、145、2011年6月20日に出願された61/498、698、2011年9月28日に出願された61/540、431、および2011年11月16日に出願された61/560、668への優先権を主張する2012年4月12日に出願された米国実用特許出願13/445、729が参照により本書に含まれる。
【発明の背景】
【０００２】
地震は、毎年100万回以上発生しており、そのうち1000回以上はマグニチュード5.0を越える。国家地震情報センター（NEIC）は、毎日約50回の地震を報告している。建築物の構造は大きな進化を遂げほとんどの地震に耐え得るようになり、そのような地震が起きた際の費用を減らすことに貢献しているが、一方で地震は、依然として多大な経済的ダメージを発生させる。
【０００３】
食料品店やその他の小売店、研究所、材木置き場、倉庫など、棚に品物を保管しているほとんどすべての場所では、ごく小さな地震が発生した場合でも多額の経済損失を被る場合がある。多くの品物が、保管されていた棚から落下することで損傷したり破壊したりする。この問題を解決するには、ストラップ、柵、棚の前面に渡すその他障壁などを付加する方法がある。しかし、これらの固定方法は、棚に保管された品物に手を届きにくくし、また棚の美観を損ねる。地震は偶発的な出来事であり、ほとんどの時間は保護が不要であるため、この欠点は耐え難い。システムの中には、地震発生の最初の警報に応じてユーザーが起動しなければならないものもあり、ほとんどの地震が予測不能であることを考えると、これは明らかに不便である。
【０００４】
信頼性および費用対効果が高く、美観を損ねず、使いやすくて、目障りにならない地震起動型の棚セキュリティシステムが必要とされている。また、既存の棚システムで使用可能な、地震起動型棚セキュリティシステムも必要とされている。
【発明の概要】
【０００５】
地震起動型棚セキュリティシステムは、棚またはパレットラックの両側に取り付けられた、2つのガイドレールを持つ。少なくとも1つの固定装置は、固定装置の各端部にある回転ループによって、ガイドレールに沿った移動が可能となる。ガイドレールには、固定装置停止部があり、地震などの振動によって作動しない限り、レールを下げることなしに、固定装置は事前に設定した場所で停止することができる。移動可能な安全装置は、固定装置停止部の後部に設置されている。停止部の位置は、地震に対するシステムの感度を調整することで調節可能である。ガイドレールは、固定装置が移動しないような位置に配置された、固定装置停止部を持つ。 ある実施形態では2つの固定装置が使われ、別の実施形態では、品物を保持するために網が使用され、それがなければアイテムは落下する。
【０００６】
本発明のその他の特徴および利点は、添付の図面を参照した以下の説明で明らかとなる。
【図面の簡単な説明】
【０００７】
図1は、本発明の1つの実施形態に応じた、地震起動型棚セキュリティシステムのガイドレールの側面図である。
【０００８】
図2は、図1で示されたガイドレールの、起動設定における側面図である。
【０００９】
図3 は、図1で示されたガイドレールの、2つの固定装置が付いた側面図である。
【００１０】
図4 は、図3で示されたガイドレールの、起動設定における側面図である。
【００１１】
図5 は、図1で示されたガイドレールの、網ネット付きの側面図である。
【００１２】
図6 は、図5で示されたガイドレールの、起動設定における側面図である。
【００１３】
図
7A は、図1で示されたガイドレールの、感度を低く選択した最初の位置の側面図である。
【００１４】
図7B
は、図1で示されたガイドレールの、感度を増して選択した最初の位置の側面図である。
【００１５】
図8は、小型の固定装置停止部を持つ、図1で示されたガイドレールの側面図である。
【００１６】
図9は、追加の固定装置停止部を持つ、図1で示されたガイドレールの側面図である。
【００１７】
図10は、図9で示されたガイドレールの、起動設定における側面図である。
【００１８】
図11 は、本発明の1つの実施形態に応じた、地震起動型棚セキュリティシステムのガイドレールの側面図である。
【００１９】
図12は、図11で示されたガイドレールの起動設定における側面図である。
【００２０】
図13 は、本発明の実施形態に応じて搭載された地震起動型セキュリティシステムを持つ棚ユニットの斜視図である。
【００２１】
図14は、図13で示された地震起動型セキュリティシステムを持つ棚ユニットの、起動設定における斜視図である。
【００２２】
図15 は、本発明の実施形態に応じて搭載された網ネットを備えた地震起動型セキュリティシステムを持つ、棚ユニットの斜視図である。
【００２３】
図16は、図15で示された地震起動型セキュリティシステムを持つ棚ユニットの、起動設定における斜視図である。
【００２４】
図17は、ボルトを使って別のガイドレールに取り付けられた、図1で示されたガイドレールの側面図である。
【００２５】
図18 は、チャネルブラケットを使って別のガイドレールに取り付けられた、図1で示されたガイドレールの側面図である。
【００２６】
図19Aは、選択位置にある固定装置の、詳細な側面図である。
【００２７】
図19B は、2番目の選択市にある固定装置の、詳細な側面図である。
【本発明の詳細な説明】
【００２８】
本発明の以下の詳細な説明では、図面について申し述べその参照番号は部品等を指すものとし、また本発明を実施できる特定の実施形態を例示することを意図する。なお、他の実施形態が利用され得ること、および構造的な変化は本発明の範囲と精神から逸脱しない範囲で可能であることは理解されるものとする。
【００２９】
図1、2および9Aと19Bに関しては、地震起動型セキュリティシステムは一対のガイドレール105を持つことが示され、それは棚120の両側に設置されている。固定装置115はループ端部を持ち、それらは端部で回転可能に保持されている。ループ端部110がガイドレール105とかみ合うことで、位置Aと位置Bに示すように、内外に移動するだけでなく自由に回転できる。もちろん、位置は無限に設定でき、示された2つの位置は本開示を制限することを意図しない。示された実施形態において、ループ端部110は固定装置115の中空部分の中にかみ合い、それによってこの動きが可能となる。もちろん、望ましい動きが達成される限り、移動を可能にする他の方法を使用することができる。 他の方法には当該技術分野において知られるブッシング、ベアリング、ピストンなどが含まれるがこれらに限定されない。示された実施形態において、ループ端部110の軸部は、固定装置115の片側がもう一方の側と異なる高さであってもループ端部110が落下しないような、十分な長さを持つ。 この長さは、本発明により保護される棚の高さによって異なる場合がある。
【００３０】
次に図1、2および7Aと7Bに関して、安全装置195によって、ユーザーは、固定装置停止部198に沿って前後にスライドすることで感度を調節できる。安全装置195から離れれば離れるほど（位置A）、その起動は更なる振動が必要になる。同様に、安全装置195を前方に移動させると（位置B）、より少ない振動で起動する。さらに、安全装置195は、起動後のリセットで使いやすい方法をユーザーに提供する。
【００３１】
再び図1と2に関して、固定装置停止部125は、固定装置115がガイドレール105に沿って移動する際、その動きを制限する。固定装置停止部125は、ガイドレール105に沿って上下にスライドすることでユーザーが動かすことができる。固定装置停止部125は、ゴムや他の材料のような圧縮性材料から作られ、摩擦によってガイドレール105と接触し、ユーザーは、棚120に保管した品物に応じて選択した位置までそれを動かすことができる。もちろん、本発明を逸脱しない範囲であれば、位置決めネジ、ピン、あるいは永久的な装着など、他の固定装置停止部を使用することも可能である。
【００３２】
固定装置停止部は、多くの環境でうまく機能する水平位置から3度の角度を選択し、1度から10度の範囲になるように選択される。角度が急になればなるほど、振動に対する感度は増す。しかし、角度が大きすぎると、システムが誤作動する場合がある。示された実施形態において、 締結装置130は、当該技術分野で周知のように、レール105を棚120に固定するために使用される。 必要に応じて、上端の締結装置を、ガイドレール105の上部を別のガイドレール105の下部に固定するために使用することができる。
さらに、締結装置を実質的には使用せずに、タブスロットを使って上部を保持することができる。このタブスロットは、ガイドレールの上端部を保持するように成形されたチャネルである。
【００３３】
図2で示す通り、固定装置115は地震発生後に起動する。 固定装置115は、棚120に保管された品物（図示なし）が落下するのを防ぐように設置されている。
【００３４】
次に図3および4に関し、地震起動型棚セキュリティシステム100は、複数の固定装置を持つことが示されている。上部の固定装置135は上部のループ端部155を持ち、前述したように回転する。下部の固定装置140は下部のループ端部160を持つ。上部のループ端部155は、下部のループ端部160よりも小径の開口部を持つ。下部のループ端部160は上部の固定装置停止部145に適合し、より大きな下部の固定装置停止部150で停止されるまで、ガイドレール105を下げ続ける。本実施形態では、2つの固定装置が使用され、棚120に保管された、一つの固定装置では倒れたり転んだりするビンのような品物の、追加の保護を行う。起動後、ユーザーは、固定装置の残り198を安全装置195に対して支える固定装置135と140を押すだけで、次回の事象に備えることができる。
【００３５】
次に図5および6に関して、網ネット165が、上部の固定装置135と下部の固定装置140に接続する。網ネット165は、下部固定装置140で回転し固定装置停止部198で止まる。地震が発生している間、網ネット165は、上部の固定装置135が上部の固定装置145で停止し、下部の固定装置140が下部固定装置停止部150まで降り続ける間に広がり、網ネット165は、固定装置さえ使用されれば、品物が落下することを防ぐ位置に配置される。起動後、ユーザーは網ネット165を反対に回転させて固定装置停止部198の元の場所に戻す。網ネット165は、ナイロンやその他適した材料のような網状の材料から作られている。もちろん、網ネット165は、巻き上げに対応できる限り、固形プラスチックや布地を使用することも可能である。
【００３６】
次に図8に関して、地震起動型棚セキュリティシステム100は小さな固定装置停止部128を持つことが示されているが、これは審美的な魅力を増すために用いられている。固定装置115は、小さなループ端部112を用いて固定装置停止部128と相互に作用することで、システムによって生じる振動を最小限に抑えながら、ユーザーが棚120に保管された品物に対処することを可能にする。他の方法では、この実施形態は前述したもののようになる。
【００３７】
次に図9および20に関して、地震起動型棚セキュリティシステム100は、大きな固定装置停止部185の近くに配置された、追加の固定装置停止部128を持つことが示されている。固定装置停止部185は、起動時に固定装置115がさらに落下するのを止め、 固定装置停止部128は、起動時に固定装置115をさらに固定するために使用され、したがって、棚の品物が下部の固定装置140または網ネット165に移動したとき、固定装置115が上向きに押されるのを防ぐ。また前述の場合を除き、この実施形態は、図1-6で示す実施形態のように行われる。
【００３８】
次に図11および12に関して、地震起動型棚セキュリティシステム 100 は棚122の内部に取り付けられていることが示され、ガイドレール108の小さな部分のみを持ち固定装置停止部198が妨害しないように配置されることで、システムの侵入を最小限にしている。ガイドレール108の中間部は、地震の発生によって起動すると、固定装置135と140が継続して落下できる、理想的な角度を使用した固定装置停止部198の設定を可能にするよう使用されている。
【００３９】
図13および14では、地震起動型棚セキュリティシステム100は、棚ユニット205に取り付けられていることが示されている。しかし簡素化のために、1つの棚に取り付けられたシステムのみが示されており、システムが各棚、全ての棚に設置可能であることは理解されている。図13では、システムは、固定装置135と140を固定装置停止部198に配置することで準備される。地震時、 棚ユニット205はいずれの方向にも揺れる可能性があり、それによって固定装置135及び140はそれぞれただちにガイドレール105に沿って落ちる。下部の固定装置140は、上部の固定装置停止部145を越えて落ちて下部の固定装置停止部185で停止し、一方上部の固定装置135は上部の固定装置停止部145で停止する。
【００４０】
図15および16に関して、地震起動型棚セキュリティシステム 100 は、上部の固定装置135と下部の固定装置140との間に取り付けられた網ネット165を使用していることが示されている。 前述の通り、網ネット165は追加の保護が必要なときに使用される。
【００４１】
図17および18に関して、ガイドレール105は、棚120に取り付けられたボルト132（図17）かチャネルブラケット134（図18）を使用した、別のガイドレール105に取り付けられている。もちろん、ガイドレール105が安全に固定される限り、その他の締結方法を使用することもできる。
【００４２】
ガイドレール105と棚120との距離は、棚120に取り付けられたガイドレールの一部に溝を設けることで調節することができる。距離を調節するためのその他の方法は、取付け調整ブラケット（図示なし）や当該技術分野で周知のその他の許容可能な調節方法を含め、使用される場合がある。
【００４３】
本発明で使用されるガイドレールは、通常は金属丸棒だが、その他の適した素材から作られることも可能であり、例えばプラスチック、複合材料、木材などを含むがそれらに限定されない。また、丸い素材が使用されるが、他の形状、六角形、楕円形、あるいは四角い素材であっても、ループ端部がガードレールの上をスムーズかつ確実に移動できる限り、使用することが可能である。
【００４４】
本発明の特定の実施形態に関して説明をしてきたが、他の多くの変化形、修正、その他の使用は、当業者に明らかになるはずである。
【図１】
2014528733.tif 000003
【図２】
2014528733.tif 000004
【図３】
2014528733.tif 000005
【図４】
2014528733.tif 000006
【図５】
2014528733.tif 000007
【図６】
2014528733.tif 000008
【図７Ａ】
2014528733.tif 000009
【図７Ｂ】
2014528733.tif 000010
【図８】
2014528733.tif 000011
【図９】
2014528733.tif 000012
【図１０】
2014528733.tif 000013
【図１１】
2014528733.tif 000014
【図１２】
2014528733.tif 000015
【図１３】
2014528733.tif 000016
【図１４】
2014528733.tif 000017
【図１５】
2014528733.tif 000018
【図１６】
2014528733.tif 000019
【図１７】
2014528733.tif 000020
【図１８】
2014528733.tif 000021
【図１９Ａ】
2014528733.tif 000022
【図１９Ｂ】
2014528733.tif 000023
【国際調査報告】
2014528733.tif 000024